(57)【要約】【課題】遠く離れた場所にいる人々が一緒に写っている合成写真を簡単に撮影する。【解決手段】位置決めのためのガイドをファインダーに表示する手段と、そのガイド情報と撮影画像を別の装置に送信する手段と、受信したガイド情報と撮影画像をファインダに表示する手段と、それに合わせて２つ目の画像を撮影する手段から構成される。【選択図】        図１
2004173084.tif 000002
【特許請求の範囲】
【請求項１】
画像撮影手段と、
撮影画像中のある領域を指示する手段と、
指定された領域を該撮影手段による撮影時のファインダーに重ねて表示する手段と、
撮影した画像と指定された領域の形状、大きさ、位置を他の機器に送信する手段と、
を備える事を特徴とする通信機能付き合成写真撮影装置。
【請求項２】
請求項１の撮影画像中のある領域を指示する手段は、
あらかじめ登録された特定領域を複数保持する手段と、
該保持手段から１つの領域を選択する手段と、
から構成されることを特徴とする通信機能付き合成写真撮影装置。
【請求項３】
画像撮影手段と、
撮影された画像中のある領域を一つあるいは複数指示する手段と、
撮影された画像と指示された領域の形状、大きさ、位置を他の機器に送信する手段と、
を備えることを特徴とする通信機能付き合成写真撮影装置。
【請求項４】
請求項３の撮影された画像中のある領域を指示する手段は、
あらかじめ登録された特定領域を複数保持する手段と、
該保持手段から必要な領域を選択する手段と、
選択された領域の各々について撮影画像との相対位置を調整する手段と、
から構成されることを特徴とする通信機能付き合成写真撮影装置。
【請求項５】
画像撮影手段と、
別の画像とその画像内の一つあるいは複数の領域の形状、大きさ、位置を他の機器から受信する手段と、
該受信手段で受信した画像から同時に受信した領域を取り除いた画像を生成する手段と、
該画像生成手段の出力画像を該撮影手段による撮影時のファインダーに重ねて表示する手段と、
該撮影手段によって撮影された画像と該生成手段の出力画像を合成する手段と、
画像と領域情報の送信元の機器に合成された画像を送信する手段と、
を持つ事を特徴とする通信機能付き合成写真撮影装置。
【請求項６】
請求項５の画像生成手段は、
受信した領域が複数あった場合にそれらのうちの一つを選択する手段を有し、
選択手段で選ばれた領域を用いて画像生成を行うこと
を特徴とする通信機能付き合成写真撮影装置。
【請求項７】
受信した画像から領域を取り除いた生成画像を任意の数だけ格納する手段と、
新たな画像を撮影する時のファインダーに重ねるために格納された生成画像を随時取り出す手段と、
を備えたことを特徴とする請求項５あるいは請求項６記載の通信機能付き合成写真撮影装置。
【請求項８】
画像撮影手段と、
別の画像とその画像内の一つあるいは複数の領域の形状、大きさ、位置を他の機器から受信する手段と、
該受信手段で受信した画像から同時に受信した領域を取り除いた画像を生成する手段と、
該撮影手段により撮影された画像と生成手段により生成された画像を合成する手段と、
画像と領域情報の送信元の機器に合成された画像を送信する手段と、
を持つ事を特徴とする通信機能付き合成写真撮影装置。
【請求項９】
請求項８の画像生成手段は、
受信した領域が複数あった場合にそれら各々を別々に受信画像から取り除いた画像を受信領域の数だけ生成し、
画像合成手段は、
複数生成された画像各々について撮影画像との位置を調整して合成を行うこと、
を特徴とする通信機能付き合成写真撮影装置。
【請求項１０】
請求項１から請求項４のいずれかを構成する手段と、
請求項５から請求項９までのいずれかを構成する手段と、
を併せ持つことを特徴とする通信機能付き合成写真撮影装置。
【発明の詳細な説明】
【０００１】
【発明の属する技術分野】
本発明は、撮影した画像を別の画像と合成したり、画像を通信機能によって送受信したりする装置に関する。
【０００２】
【従来の技術】
離れた場所にいる複数の人が互いに撮った写真を合成して１つの写真にするという場合、例えば遠距離にいながら集合写真を撮りそれを皆に配るという場合、従来の技術では、デジタルカメラなどで撮影した画像をパーソナルコンピュータに接続して転送し、さらに別のコンピュータに電子メール等を使って送信することによって画像を一箇所に集めて合成し、それをまた電子メール等で各人に配信するということが行われている。
【０００３】
特開平１０−２７１１４２７の発明で提案されているカメラによれば、カメラ自身が画像合成機能を持つことにより、撮影した画像と別の画像を容易に合成することができる。
【０００４】
また、特開２００１−２７４９７２の発明で提案されている画像合成送信装置によれば、撮影した画像を別の画像と合成し、そのまま電子メール等の送信手段により撮影場所とは異なる場所に画像を配信することができる。
【０００５】
【発明が解決しようとする課題】
しかしながら、上述した従来の技術においては、画像の撮影、送信、合成のための位置合わせ等の調整、完成した画像の配信といった一連の作業を簡単には行えないという問題があった。
【０００６】
【課題を解決するための手段】
請求項１記載の通信機能付き合成写真撮影装置は、画像撮影手段と、撮影画像中のある領域を指示する手段と、指定された領域を該撮影手段による撮影時のファインダーに重ねて表示する手段と、撮影した画像と指定された領域の形状、大きさ、位置を他の機器に送信する手段と、を備える事を特徴とする。
【０００７】
請求項３記載の通信機能付き合成写真撮影装置は、画像撮影手段と、撮影された画像中のある領域を一つあるいは複数指示する手段と、撮影された画像と指示された領域の形状、大きさ、位置を他の機器に送信する手段と、を備えることを特徴とする。
【０００８】
これらの構成によれば、複数画像の合成を前提とした、画像の撮影、位置あわせ、他の画像の撮影をするカメラへのデータ送信、とうい一連の操作を容易に行うことができる。
【０００９】
請求項５記載の通信機能付き合成写真撮影装置は、画像撮影手段と、別の画像とその画像内の一つあるいは複数の領域の形状、大きさ、位置を他の機器から受信する手段と、該受信手段で受信した画像から同時に受信した領域を取り除いた画像を生成する手段と、該画像生成手段の出力画像を該撮影手段による撮影時のファインダーに重ねて表示する手段と、該撮影手段によって撮影された画像と該生成手段の出力画像を合成する手段と、画像と領域情報の送信元の機器に合成された画像を送信する手段と、を持つ事を特徴とする。
【００１０】
請求項８記載の通信機能付き合成写真撮影装置は、画像撮影手段と、別の画像とその画像内の一つあるいは複数の領域の形状、大きさ、位置を他の機器から受信する手段と、該受信手段で受信した画像から同時に受信した領域を取り除いた画像を生成する手段と、該撮影手段により撮影された画像と生成手段により生成された画像を合成する手段と、画像と領域情報の送信元の機器に合成された画像を送信する手段と、を持つ事を特徴とする。
【００１１】
これらの構成によれば、既に撮影された画像の受信と、それに合成する画像の位置合わせと、画像撮影、と言う一連の操作を容易に行うことができる。
【００１２】
【発明の実施の形態】
（第１実施形態）
まず、本発明の第１の実施形態について図１〜図８を用いて説明する。
【００１３】
図１は、本実施形態に係る通信機能付き合成写真撮影装置の概略構成を示すブロック図である。同図において、１は通信機能付き合成写真撮影装置である。２は装置内の各部分の制御を行うメイン制御部であり、制御処理のためのプログラムコードを実行するＣＰＵ３、プログラムコードや各種のデータと画像を格納するＦｌａｓｈ  ＲＯＭ４、プログラム実行のためのワーク領域等に使用されるＲＡＭ５から構成される。６はユーザの入力を受け付けメイン制御部２に伝える入力部で、ポインティングデバイスであるデジタイザやシャッターボタンとそれらの制御回路から構成される。７はメイン制御部２の制御のもとユーザに対して画像やＧＵＩのための表示を行う出力部でディスプレイであるＬＣＤとその制御回路から構成される。８は画像を撮影し画像データをメイン制御部に渡す撮像部であり、レンズ等の光学系とＣＣＤ等の撮像素子及びその制御装置から構成される。９は画像や各種のデータを他の機器と送受信するための通信制御部であり、無線通信等を用いてネットワーク１０に接続されている。
【００１４】
図２は、通信機能付き合成写真撮影装置がネットワーク１０を介して互いに接続されていることを示す図である。同図において２台のカメラ１ａ，１ｂはネットワーク１０に接続している。１１はメールサーバで同じくネットワーク１０に接続されていて、２台のカメラ間でやり取りされるデータを一時的に蓄える役目をする。
【００１５】
本実施形態では二人で合成記念写真を撮る際、撮影位置を合わせ易くするためのガイドとして穴のあいたフレームを使用する。図３は、図２のカメラ１ａで第１の被写体を撮影するために使われるフレームを選択するための画面を示す図である。同図において、３１は選択できる様々な色や形状を持つフレームであり、現在３１ａのフレームが選択されている。３２は選択されているフレームを示すカーソル枠で、ポインティングデバイスで希望するフレームを指示するとこのカーソル枠が移動する。３３はフレーム選択をキャンセルするためのボタンで、ポインティングデバイスでここを指示するとフレーム選択を止めてその前に表示されていた画面に戻る。３４はフレーム選択を確定し、次の操作である撮影に移るためのボタンである。
【００１６】
また、選択されるフレームは、あらかじめ用意されているものに加えて、別の画面においてオリジナルなものを作成して登録することができる。あるいは、パーソナルコンピュータ等外部で作成して電子メールで送信したものをカメラで受信して登録することもできる。さらに、カメラがネットワーク上のサーバからのダウンロード機能を持ち、サーバに置かれたフレームをダウンロードして登録することもできる。なお、登録され選択できるフレームの数が多く画面に入りきらない場合は、図３においてスクロールバーが表示されて画面を切替えることができる。
【００１７】
図４は、図３において３４のボタンを指示した後の画面であり、画面全体がカメラ撮影のためのファインダーとなっている。同図において４１は図３で選択したフレームであり、４２と４３は合成すべき各々の被写体撮影の位置決めに使用するガイド穴であり、最初に撮影する側がどちらか一方をポインティングデバイスで指示することで、自分が撮影する方のガイド穴を選択できる。同図では、右側の４３が選択され第１の被写体となる４４が表示されていて、第２の被写体が入るべき４２のガイド穴は区別するために暗くなっている。
【００１８】
撮影者は被写体４４がうまく４３の中に収まるようにカメラの方向、距離、ズーム等を調整しシャッターボタンを押すことにより画像の撮影を行う。画像の撮影後、４１のフレームが合成され被写体４４の周りの余分なものをトリミングされた画像がＦｌａｓｈ  ＲＯＭ４に格納される。その時、第２の被写体が収まるべき４１は透明色として記録される。
【００１９】
図４において、シャッターボタンを押さずに、４１のフレームの４２や４３の穴以外の場所をポインティングデバイスで指示すると、図３の画面に戻りフレームの選択をやり直すことができる。
【００２０】
図５は、図４においてシャッターボタンが押された後に第２の被写体の撮影者を選択する画面を示す図である。同図において、５１は第２の被写体の撮影者となる画像送信の宛先候補のリストであり、５２は画面に入りきらない候補を表示するのに画面を切替える為のスクロールバーである。５３は現在選択されている宛先を示すカーソルである。５４はもう一度撮影をやり直すためのボタンで、５５は宛先を確定し画像データを送信するためのボタンである。５５のボタンを指示すると、図４の撮影時にＦｌａｓｈ  ＲＯＭ４に格納された第１の被写体とフレームの合成画像が電子メールのメッセージとして送信され、図２のネットワーク１０を介してメールサーバ１１に到達し蓄えられる。
【００２１】
図６は、図２のカメラ１ｂにおいてユーザが電子メール機能を呼び出した際の画面を示す図である。メール機能の呼び出しにより、カメラ１ａから送信されメールサーバ１１に蓄えられていた画像データが他のメールメッセージと共にカメラ１ｂに取り込まれＦｌａｓｈ  ＲＯＭ４に格納される。同図において、６１は現在カメラ１ｂに取り込まれているメッセージの一覧であり、各メッセージの送信日時、送信者の名前、タイトルなどが表示されている。６２は画面に入りきれない一覧を表示するのに画面を切替えるためのスクロールバーである。６３は現在選択状態にあるメッセージを示すためのカーソルである。現在選択されているのはカメラ１ａから送られた画像データで、６４のカメラアイコンがこのメールメッセージが合成記念写真撮影用の特別なものであることを示している。６５は選択状態にあるメッセージを表示するためのボタンで、６６は選択状態にあるメッセージを削除するためのボタンである。
【００２２】
図７は、図６の画面において６５のボタンを指示した後の画面を示す図である。同図において７１はカメラ１ａから送られてきた画像データである。７２はこの画面を閉じて図６の画面に戻るためのボタンである。７３はこの画像データを使って第２の被写体の撮影を行うためのボタンである。７４は合成記念写真撮影要求であるこの画像データを無視して削除するためのボタンである。
【００２３】
図８は、図７において撮影ボタン７３を指示した時の画面で、画面全体が第２の被写体撮影の為のファインダーになっていることを示す。８１はカメラ１ａから送られてきた画像で、左側のガイド穴が透明になり８２の第２の被写体が表示されている。第２の被写体の撮影者は、図４における第１の被写体撮影のように、第２の被写体８２の位置などを調整してシャッターボタンを押す。
【００２４】
図８においてシャッターボタンを押すと、図８でファインダー表示されている画像が合成画像としてＦｌａｓｈ  ＲＯＭ４に格納されると同時に、図６で受信したメールの送信元であるカメラ１ａに電子メールで配送され、二人そろった合成記念写真を両者が手にすることができる。
【００２５】
なお、図８においてシャッターボタンを押さずに画面のどこかをポインティングデバイスで指示すると、図７の画面に戻り合成記念写真の撮影を取りやめることができる。
【００２６】
カメラ１ａから送られてきた合成記念写真用の画像データは、図６あるいは図７で削除しない限りはＦｌａｓｈ  ＲＯＭ４に格納されており、いつでも図６、図７、図８の一連の操作で合成記念写真の撮影をすることができる。
【００２７】
（第２実施形態）
次に、本発明の第２の実施形態について図９〜図１２を用いて説明する。
【００２８】
第２の実施形態に係る通信機能付き合成写真撮影装置の構成は図１と同じである。
【００２９】
図９は、カメラ１において撮影する際のファインダー画面を示す図であり、９１が合成記念写真の半分として使用する予定の第１の被写体、９２は合成記念写真には不要の被写体である。ここでシャッターボタンを押すとファインダー画面に表示されている画像が撮影され、Ｆｌａｓｈ  ＲＯＭ４に格納される。この時点では、撮影した画像を合成記念写真に使う場合も、そうではない通常の撮影においても全く同じ操作を行う。
【００３０】
図９で撮影した画像は、消去操作を行うまではいつでも呼び出しディスプレイに表示することができ、さらに表示画面においてユーザがメニューコマンドで合成記念写真作成を指示することができる。ユーザが合成記念写真作成を指示すると、図３のフレーム選択画面となる。
【００３１】
図１０は、図３において希望するフレームを選択し、３４のボタンを指示した後の画面を示す。図１０の画面では、図９で撮影した画像と図３で選択したフレームの位置の調整と、フレームのガイド穴の選択を行う。図１０において、１００ａと１００ｂは第１の被写体が使用するガイド穴として、それぞれ右と左を選択した状態を示している。それぞれの図において１０１ａと１０２ｂは選択されているガイド穴で、図９で撮影された画像の一部がのぞいている。一方、１０２ａと１０１ｂは選択されていないガイド穴で中が暗くなっている。ガイド穴の選択は穴の中をポインティングデバイスで指示することによって行う。すなわち、１００ａにおいて選択されていない１０２ａを指示すれば１００ｂの様になり、逆に１００ｂにおいて１０１ｂを指示すれば１０１ａの様になる。
【００３２】
図１０の両画面において、フレーム部分をポインティングデバイスでドラッグすると、フレームが前後左右に移動して撮影画像とフレームとの位置を調整することができる。
【００３３】
図１１は、撮影画像とフレームとの位置を説明する概念図である。同図において、１１１は撮影画像、１１２はフレームである。両者の位置は、撮影画像の左上隅を原点として、右，下をそれぞれＸ，Ｙ軸の正方向としたときの、フレーム画像の左上隅の座標値で表現される。図１１において１１３と１１４がそれぞれＸ，Ｙの座標値で、この位置関係では、Ｘ，Ｙ共に負の値となる。
【００３４】
本実施例においては第１の実施形態とは異なり、図３で複数のフレームを選択することができ、選択した全てのフレームに対して図１０のようなフレーム調整を行う、１０４は最初のフレーム調整においては図３のフレーム選択画面に戻り、それ以外のフレームにおいては一つ前のフレームの調整画面に戻るためのボタンである。また、１０５は次のフレームがある場合は次のフレーム調整画面に移り、最後のフレームにおいては図５の宛先選択画面に移るためのボタンである。
【００３５】
最後のフレーム調整画面において、１０５のボタンを指示すると図５の宛先選択画面になり、さらに図５において宛先を選択し送信ボタン５５を指示すると、撮影画像とフレームが選択された宛先に電子メールメッセージとして送信される。
【００３６】
本実施形態では、第１の実施形態とは違って第１の被写体を写した撮影画像とフレームを合成した画像を送るのではなく、撮影画像とフレームを分離して送信する。図１２は、本実施形態において宛先に送信される電子メールに含まれるデータ構造を示す図である。同図において、１２１は図３の画面で選択されたフレームの数、１２２，１２３はそれぞれ１つのフレームに関する情報であり、１２１に入っているフレームの数だけ繰り返されることを示している。フレームに関する情報のうち、１２４のフレームタイプはフレームの種類を識別するための情報、１２５のガイド穴情報はどちらのガイド穴を第１の被写体で使用したかを識別するための情報、１２６，１２７は図１１で説明した撮影画像とフレームの位置を表現するＸ，Ｙ座標である。１２８の画像データサイズは後に続く画像データ１２９の大きさである。
【００３７】
図１２のデータ構造を電子メールメッセージとして受取ったカメラ１ｂにおいては、このメッセージを使って第２の被写体を撮影する際に、各フレーム情報１２２と１２９の画像データから図８のようなファインダー画面を生成する。ここで、カメラ１ｂにおいてもカメラ１ａと同じフレーム種類が登録されており、１２２の識別情報から実際のフレームを選ぶことができる。
【００３８】
撮影時にファインダー画面をポインティングデバイスで指示する毎に、１２３等の他のフレーム情報を使った画面に次々と切替えることができる。そして、気に入ったフレームを選んでシャッターボタンを押すと、第１の被写体、フレーム、第２の被写体の３つを合成した画像を生成し、それをカメラ１ｂのＦｌａｓｈＲＯＭ４に格納すると同時に、メールの送信元であるカメラ１ａに同じ画像を配送する。
【００３９】
また、第２の被写体の撮影を、合成記念写真としてではなく通常の撮影として行い、後でこの第２の被写体の画像と図１２の１２２〜１２３のフレーム情報各々についての位置合わせを行い、その時点で各フレーム情報に対して、フレームと第１の被写体と第２の被写体の画像を合成して合成記念写真の作成とカメラ１ａへの返信を行うこともできる。この場合、第２の被写体の撮影は１回ですむ。
【００４０】
（第３実施形態）
次に、本発明の第３の実施形態について図１３〜図１５を用いて説明する。
【００４１】
第３の実施形態に係る通信機能付き合成写真撮影装置の構成は図１と同じであり、操作なども第１の実施形態とほぼ同様である。ただし、本実施形態に係るカメラにおいては、２人よりも多くの人数による合成記念写真を作成することができる点が第１の実施形態と異なる。
【００４２】
図１３は、本実施形態における図３のフレーム選択画面で４人用フレームを選択し、第１の被写体を撮影しようとしているファインダー画面を示している。図１３において１３１は４人用フレーム、１３２はガイド穴からのぞいている第１の被写体である。この画面においても、図４の画面と同様に撮影に使用するガイド穴の選択ができ、シャッターボタンを押すと被写体をフレームが合成された画像がＦｌａｓｈ  ＲＯＭ４に格納される。
【００４３】
図１４は、図１３においてシャッターボタンを押した後の画面で、合成記念写真に写るべき他の３人のメンバを選択する画面を示している。図１４において、１４１はメンバの候補となる宛先リスト、１４２は記念写真のメンバのリスト、１４３は候補から現在選択しようとしている宛先を示すカーソル、１４４は既にメンバとして選ばれた宛先である。１４５はカーソル１４３が表示されている宛先を１４２のメンバに加えるためのボタンであり、これを支持すると１４３の宛先が新たに１４２に加わる。１４６は逆にメンバに加えた宛先をキャンセルして候補に戻すためのボタンであり、現在操作できないことを示すグレー表示されている。１４２の中からどれかの宛先をポインティングデバイスで指示すると、カーソル１４３がその宛先に移動し、１４６は通常表示になり、逆に１４５はグレー表示になる。その状態で１４６を指示すると、カーソル１４３が表示されている宛先を１４１に戻すことができる。１４７はもう一度撮影をしなおすために図１３の画面に戻るためのボタンである。１４８は１４２に選んだメンバを確定し、リストの最初のメンバに合成画像を送信するためのボタンである。１４８はメンバを３人選び終わるまでは指示することができないようにグレー表示されている。
【００４４】
図１５は、合成記念写真撮影のために電子メールメッセージとして送信されるデータの構造を示す図である。同図において、１５１はメンバの数である。１５２は一人のメンバに関する情報で、１５３の宛先、１５４の撮影済みフラグから構成される。メンバの数１５１は第１の被写体も含めたメンバ全体の数で、最初のメンバであるメンバ１ついての情報１５２は第１の被写体についての情報で、その撮影済みフラグ１５２は「済」となっている。１５５は後に続く画像データ１５６の大きさである。
【００４５】
このデータはメールとして最初にメンバ２に送られ、そこでメンバ２の撮影が終了すると、メンバ２の撮影済みフラグが「済」になり、画像データサイズ１５５と画像データサイズ１５６はメンバ２までが合成されたものに置き換わり、まだ「済」がついていない次のメンバ３に転送され、同様に順次最後のメンバまで転送されてゆく、最後のメンバでの撮影が終了すると、出来上がった合成記念写真データは最後のメンバのＦｌａｓｈ  ＲＯＭ４に格納されると共に、自分以外の宛先全てに配送される。
【００４６】
【発明の効果】
以上説明したように、請求項１および請求項２の通信機能付き合成写真撮影装置によれば、画像撮影手段と、撮影画像中のある領域を指示する手段と、指定された領域を該撮影手段による撮影時のファインダーに重ねて表示する手段を備えることにより、第１の被写体撮影時に後で撮影する第２の被写体の撮影との大きさや位置を簡単に調整することができ、撮影した画像と指定された領域の形状、大きさ、位置を他の機器に送信する手段を備えることにより、第２の被写体撮影装置へのデータの転送を容易に行うことができる、という効果が得られる。
【００４７】
また、請求項３および請求項４の通信機能付き合成写真撮影装置によれば、画像撮影手段と、撮影された画像中のある領域を一つあるいは複数指示する手段を備えることにより、後で撮影する第２の被写体の位置や大きさの調整を簡単に行うようにすることができ、撮影された画像と指示された領域の形状、大きさ、位置を他の機器に送信する手段を備えることにより、第２の被写体撮影装置へのデータの転送を容易に行うことができる、という効果が得られる。
【００４８】
また、請求項５、請求項６、請求項７記載の通信機能付き合成写真撮影装置によれば、画像撮影手段と、別の画像とその画像内の一つあるいは複数の領域の形状、大きさ、位置を他の機器から受信する手段と、該受信手段で受信した画像から同時に受信した領域を取り除いた画像を生成する手段と、該画像生成手段の出力画像を該撮影手段による撮影時のファインダーに重ねて表示する手段と、該撮影手段によって撮影された画像と該生成手段の出力画像を合成する手段とを備えることにより、第１の被写体の撮影情報を受け取りそれに合わせて第２の被写体を撮影するという一連の操作を簡単に行うことができ、画像と領域情報の送信元の機器に合成された画像を送信する手段を備えることにより、第１の被写体撮影者に合成写真を簡単に配送することができる、という効果が得られる。
【００４９】
また、請求項８と請求項９記載の通信機能付き合成写真撮影装置によれば、画像撮影手段と、別の画像とその画像内の一つあるいは複数の領域の形状、大きさ、位置を他の機器から受信する手段と、該受信手段で受信した画像から同時に受信した領域を取り除いた画像を生成する手段と、該撮影手段により撮影された画像と生成手段により生成された画像を合成する手段とを備えることにより、第２の被写体を撮影し受取った第１の被写体の撮影画像と位置や大きさを調整して合成するという一連の操作を簡単に行うことができ、画像と領域情報の送信元の機器に合成された画像を送信する手段を備えることにより、第１の被写体撮影者に合成写真を簡単に配送することができる、という効果が得られる。
【００５０】
さらに、請求項１０記載の通信機能付き合成写真撮影装置によれば、請求項１から請求項４のいずれかを構成する手段と、請求項５から請求項９までのいずれかを構成する手段とを併せ持つことにより、１種類の装置で相互に合成写真撮影の第１の被写体撮影者になることができる、という効果が得られる。
【図面の簡単な説明】
【図１】第１，第２，第３の実施形態に係る通信機能付き合成写真撮影装置の概略構成を示すブロック図である。
【図２】通信機能付き合成写真撮影装置がネットワーク１０を介して互いに接続されていることを示す図である。
【図３】第１の被写体を撮影するために使われるフレームを選択するための画面を示す図である。
【図４】図３において３４のボタンを指示した後の画面である。
【図５】第２の被写体の撮影者を選択する画面を示す図である。
【図６】電子メール機能を呼び出した際の画面を示す図である。
【図７】図６の画面において６５のボタンを指示した後の画面を示す図である。
【図８】第２の被写体撮影の為のファインダー画面を示す図である。
【図９】第２実施形態において第１の被写体を撮影する際のファインダー画面を示す図である。
【図１０】フレームの位置の調整とフレームのガイド穴の選択を行う画面を示す図である。
【図１１】撮影画像とフレームとの位置を説明する概念図である。
【図１２】第２実施形態において宛先に送信される電子メールに含まれるデータ構造を示す図である。
【図１３】第３実施形態本実施形態における図３のフレーム選択画面を示す図である。
【図１４】合成記念写真に写るべき他の３人のメンバを選択する画面を示す図である。
【図１５】合成記念写真撮影のために電子メールメッセージとして送信されるデータの構造を示す図である。
【符号の説明】
１  通信機能付き合成写真撮影装置
２  メイン制御部
３  ＣＰＵ
４  Ｆｌａｓｈ  ＲＯＭ
５  ＲＡＭ
６  入力部
７  出力部
８  撮像部
９  通信制御部
１０  ネットワーク
１１  メールサーバ
３１  撮影ガイド用フレーム
３２  選択表示カーソル
３３  前の画面に戻るボタン
３４  次の画面に移るボタン
４１  撮影ガイド用フレーム
４２  選択されていないガイド穴
４３  選択されているガイド穴
４４  第１の被写体
５１  宛先リスト
５２  スクロールバー
５３  選択表示カーソル
５４  前の画面に戻るボタン
５５  送信ボタン
６１  メッセージ一覧
６２  スクロールバー
６３  選択表示カーソル
６４  合成記念写真アイコン
６５  メッセージ表示ボタン
６６  メッセージ削除ボタン
７１  第１の被写体撮影者から送られてきた画像
７２  表示中のメッセージを閉じるボタン
７３  第２の被写体撮影ファインダーに移るボタン
７４  表示中のメッセージを閉じるボタン
８１  第１の被写体撮影者から送られてきた画像
８２  第２の被写体
９１  第１の被写体
９２  不要な被写体
１００  フレーム調整画面
１０１  ガイド穴その１
１０２  ガイド穴その２
１０３  ガイドフレーム
１０４  前の画面に戻るボタン
１０５  次の画面に移るボタン
１１１  撮影しようとする画像
１１２  ガイドフレーム
１１３  画像とフレームの位置を示すＸ座標
１１４  画像とフレームの位置を示すＹ座標
１２１  フレーム数
１２２  フレーム１
１２３  フレームｎ
１２４  フレーム１のタイプ
１２５  フレーム１のガイド穴指定値
１２６  フレーム１の合成位置Ｘ座標
１２７  フレーム１の合成位置Ｙ座標
１２８  画像のデータサイズ
１２９  画像データ
１３１  ４人撮影用ガイドフレーム
１３２  第１の被写体
１４１  宛先候補リスト
１４２  決定宛先リスト
１４３  選択表示カーソル
１４４  決定された宛先
１４５  候補を決定するボタン
１４６  決定された宛先をキャンセルするボタン
１４７  前の画面に戻るボタン
１４８  データを送信するボタン
１５１  メンバ数
１５２  メンバ１の情報
１５３  メンバ１宛先
１５４  メンバ１の撮影済みフラグ
１５５  画像データサイズ
１５６  画像データ
【図１】
2004173084.tif 000003
【図２】
2004173084.tif 000004
【図３】
2004173084.tif 000005
【図４】
2004173084.tif 000006
【図５】
2004173084.tif 000007
【図６】
2004173084.tif 000008
【図７】
2004173084.tif 000009
【図８】
2004173084.tif 000010
【図９】
2004173084.tif 000011
【図１０】
2004173084.tif 000012
【図１１】
2004173084.tif 000013
【図１２】
2004173084.tif 000014
【図１３】
2004173084.tif 000015
【図１４】
2004173084.tif 000016
【図１５】
2004173084.tif 000017